(57)【要約】【課題】  綴じ部材３の下方の紙片２に広い表示部５を確保でき、かつ、吊り下げ部４と干渉することなく紙片２を背面側７へ捲ることのできる製本体１の提供を得ること。【解決手段】  製本体は、重ね合わせた複数の紙片２，２，２,・・・と、前記複数の紙片２，２，２,・・・の上辺を綴じる綴じ部材３と、前記綴じ部材３から上方に突出して設けられた吊り下げ部４とを備えてなり、前記複数の紙片２，２，２,・・・の綴じ部材下方領域に表示部５が設けられており、前面側６に現れている紙片が綴じ部材を中心として背面側７へ捲られるようになっている。そして、前記紙片２，２，２,・・・が背面側７へ捲られる際に前記吊り下げ部４と干渉する前記紙片２，２，２,・・・の干渉部分８を、前記吊り下げ部４を通過可能とするように前記干渉部分８以外の残り部分９から分離する分離手段を具備してなることを特徴とするものである。【選択図】      図１
0003111129.tif 000002
【実用新案登録請求の範囲】
【請求項１】
重ね合わせた複数の紙片と、前記複数の紙片の上辺を綴じる綴じ部材と、前記綴じ部材から上方に突出して設けられた吊り下げ部とを備えてなり、前記複数の紙片の綴じ部材下方領域に表示部が設けられており、前面側に現れている紙片が綴じ部材を中心として背面側へ捲られるようになっている製本体において、前記紙片が背面側へ捲られる際に前記吊り下げ部と干渉する前記紙片の干渉部分を、前記吊り下げ部を通過可能とするように前記干渉部分以外の残り部分から分離する分離手段を具備してなることを特徴とする製本体。
【請求項２】
分離手段が、紙片の干渉部分の周囲に、一部連結部分を残して形成された切れ目である請求項１に記載の製本体。
【請求項３】
分離手段が、紙片の干渉部分の周囲に、形成されたミシン目である請求項１または２に記載の製本体。
【請求項４】
紙片の連結部分に、該連結部分を切断可能なミシン目を形成した請求項２に記載の製本体。
【考案の詳細な説明】
【技術分野】
【０００１】
本考案は、カレンダー等の製本体に関するものである。
【背景技術】
【０００２】
この種の製本体を代表するカレンダーは図７に示すように、複数の紙片２，２，２，２，・・・・を重ね合わせ、重ね合わせた紙片２，２，２，・・・の上辺をコイル状の綴じ部材３で綴じ、壁などに吊るされる棒状の吊り下げ部４を綴じ部材３に挿通支持させたものが知られている。吊り下げ部４は安定な吊り下げのため、吊り下げ部３から上方に突出するよう湾曲形成されている。吊り下げ部４下方の紙片２の上辺には、紙片２を背面側に捲る際に吊り下げ部４と干渉させないための円弧状の切欠き部１２が形成されている。紙片２の下部には暦が表され、暦部分と綴じ部材３までの間には、絵や写真などを印刷した表示部５Ａが設けられている。
【０００３】
【特許文献１】特開平７−９６６８８号公報（図１参照）
【考案の開示】
【考案が解決しようとする課題】
【０００４】
上記従来のカレンダーでは、紙片２上で表示部５Ａを大きくとった場合に、切欠き部１２の存在によりその一部が欠けて美観を損なうといった問題がある。あるいは、表示部５Ａが欠けないよう、紙片２の綴じ部材３下方領域に不自然に広い余白１５を設けることがあるが、その場合は、表示部５Ａが狭くなってせっかくの写真などがみすぼらしくなるという問題があった。
本考案は、上記した従来の問題点に鑑みてなされたものであって、綴じ部材の下方の紙片に広い表示部を確保でき、かつ、吊り下げ部と干渉することなく紙片を背面側へ捲ることのできる製本体の提供を目的とする。
【課題を解決するための手段】
【０００５】
上記目的を達成するために、本考案に係る製本体は、重ね合わされた複数の紙片と、前記複数の紙片の上辺を綴じる綴じ部材と、綴じ部材から上方に突出して設けられた吊り下げ部とを備えてなり、前記複数の紙片の綴じ部材下方領域に表示部が設けられており、前面側に現れている紙片が綴じ部材を中心として背面側へ捲られるようになっている製本体において、前記紙片が背面側へ捲られる際に前記吊り下げ部と干渉する紙片の干渉部分を、前記吊り下げ部を通過可能とするように、前記干渉部分以外の残り部分から分離する分離手段を具備してなる構成にしてある。
【０００６】
また、前記構成において、分離手段が、紙片の干渉部分の周囲に、一部連結部分を残して形成された切れ目であるものである。
【０００７】
そして、前記した各構成において、分離手段が、紙片の干渉部分の周囲に、形成されたミシン目であるものである。
【０００８】
更に、前記した各構成において、紙片の連結部分に、該連結部分を切断可能なミシン目を形成したものである。
【考案の効果】
【０００９】
本考案にかかる製本体によれば、前面側の紙片を背面側に捲る際に紙片の吊り下げ部と干渉する部分が、従来技術のような紙片を切欠いたものではないため、当該干渉部分を含む広い領域に絵や写真の印刷等の表示部を設けることができ、紙片全体としてもシンプルで見た目が良くなる。そして、前面側の紙片を背面側に捲る際は、切れ目やミシン目等の分離手段により、残り部分から紙片の干渉部分を分離させ、分離した干渉部分を吊り下げ部の前方に残し、紙片の残り部分については、綴じ部材を中心に背面側へ捲ることができる。すなわち、従来技術のように吊り下げ部に干渉させないため紙片に切欠き部を形成する必要がない。よって、切欠き部で表示部が欠けて美観を損なうといったことがなく、表示部が欠けないよう綴じ部材下方領域に不自然に広い余白を取る必要もなくなる。
尚、分離手段がミシン目である場合、ミシン目は目立たないので、分離手段があるために表示部が不自然に見えるといったことがない。また、紙片を捲る際も紙片の干渉部分を残り部分から容易に分離できる。
【００１０】
一方で上記した切れ目またはミシン目を設けた構成で干渉部分と残り部分とをつなぐ連結部分を有していると、紙片を捲った後に、干渉部分が吊り下げ部の前方に残って捲れ上がったり、次に現れた紙片の表示部の上に被さったりして見た目が悪くなることが考えられる。かかる問題を解決するためには、紙片の連結部分に、この連結部分をこの切断可能なミシン目を形成しておくとよい。このように構成したことにより、紙片を捲った後は連結部分を容易に破断して干渉部分を残り部分から切り取って廃棄することができ、吊り下げ部の前方や次に現れた紙片の美観を向上させることができる。
【考案を実施するための最良の形態】
【００１１】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る製本体の斜視図、図２は前記製本体の分離手段を示す拡大図である。但し、図７に示した従来の製本体と同一の構成要素には、同一の符号を付して用いる。
図１において、この実施形態に係る製本体１はカレンダーであり、重ね合わされた複数の紙片２，２，２，・・・の上辺全体が板状の金属を湾曲させた綴じ部材３により綴じられている。綴じ部材３の長手方向中央部には綴じ部材３本体から上方に突出した吊り下げ部４が設けられている。また、すべての紙片２，２，２，・・・には、それぞれの下部に暦が印刷され、綴じ部材３の直下位置から暦上方位置までの領域に写真の印刷等に代表される表示部５が設けられている。
また、吊り下げ部４の下方で紙片２における綴じ部材３の直下領域には正面視凹字型の切れ目１０が形成されている。
【００１２】
一般のカレンダーは、前月分の紙片２が破り捨てられて、新しい月の紙片２が現れるようにしたものがあるが、暦の部分に書き込んだ前月分のメモ等を残しておくためには、この製本体１のように、紙片２を捲って保存するものが使用される。そこで、この製本体では、図３に示すように、前面側６に現れていた紙片２が綴じ部材３を中心として背面側７へ捲られる際に吊り下げ部４と干渉する紙片２ａの干渉部分８が、残り部分９から大きく離れる。このように離れることで綴じ部材３下方の紙片２ａの一部に開口ができ、この開口を通過した吊り下げ部４が紙片２ａの上方に出現し、再び吊り下げられることとなる。
【００１３】
すなわち、製本体１では、従来技術のような切欠き部１２（図７参照）でなく干渉部分８として紙片２の綴じ部材３下方領域が存在しているので、その干渉部分８を含む広い領域に絵や写真などを印刷した表示部５を確保することができる。従って、紙片２全体としてもシンプルで見た目がよく、紙片２の綴じ部材３下端近くまで広範囲にわたって表示部５を設けた製本体１を提供することができる。そして、前面側６の紙片２ａを背面側７に捲る際は、切れ目１０の存在により、紙片２の干渉部分８を残り部分９から分離させて、干渉部分８を吊り下げ部４の前方に残し、残り部分９については吊り下げ部４と干渉することなく綴じ部材３を中心に背面側７へ捲ることができる。すなわち、従来技術のように吊り下げ部４と干渉させないための切欠き部１２を紙片２ａに形成する必要がなく、切欠き部１２があるために絵や写真などを印刷した表示部５が欠けて美観を損なうといったことがなく、表示部５が欠けないよう紙片２における綴じ部材３の直下領域に不自然に広い余白を取る必要もなくなる。
【００１４】
尚、上記の実施形態では、分離手段として切れ目１０を例示したが、本考案の分離手段はそれに限定されるものでなく、図４に示すように、紙片２の干渉部分８の周囲に、切れ目１０と同様の配置で形成されたミシン目１１であってもよい。更に、図５に示すように、切れ目１０及びミシン目１１の双方を分離手段として用いることも可能である。このようにミシン目１１を採用した場合ミシン目は目立たないので、絵や写真などを印刷してなる表示部５が不自然に見えるといったことがない。また、紙片２を捲る際もミシン目１１を破断するだけで紙片２の干渉部分８を残り部分９から容易に分離できる。
【００１５】
一方で上記した切れ目１０またはミシン目１１を設けた構成で干渉部分８と残り部分９とをつなぐ連結部分１３を有していると、紙片２を捲った後に、干渉部分８が吊り下げ部４の前方に残って捲れ上がったり、次に現れた紙片２の表示部５の上に被さったりして見た目が悪くなることが考えられる。かかる問題を解決するためには、図６に示すように、紙片２の連結部分１３に、この連結部分１３を切断可能なミシン目１４を形成しておくとよい。このように構成したことにより、紙片２を捲った後は連結部分１３をミシン目１４の位置で容易に破断して干渉部分８を残り部分９から切り取って廃棄することができ、吊り下げ部４の前方や次に現れた紙片の美観を向上させることができる。
【００１６】
また、上記構成では正面視凹字状に配置された切れ目１０またはミシン目１１を例示したが、本考案はそれに限らず、正面視円弧状や三角形状の切れ目やミシン目であってもよい。
また、綴じ部材の材料としては上記した金属に限られず、合成樹脂、木、紙等であってもよく、形状としては板状の他、図７のようにコイル状のものなどであってもよい。また、本考案の表示部としては、上記した写真印刷に限られず、絵の印刷、手書き、色彩を施したもの等でもよく特に限定されない。
また、本考案の製本体はカレンダーのみならず、大判のメモ帳や伝票、台帳      なども含むものとする。
【図面の簡単な説明】
【００１７】
【図１】本考案の一実施形態に係る製本体の斜視図である。
【図２】前記製本体の分離手段を示す拡大図である。
【図３】前記製本体の使用態様図である。
【図４】本考案の別の実施形態に係る分離手段を示す拡大図である。
【図５】本考案の更に別の実施形態に係る分離手段を示す拡大図である。
【図６】本考案の他の実施形態に係る分離手段を示す拡大図である。
【図７】従来の製本体の斜視図である。
【符号の説明】
【００１８】
１  製本体
２，２ａ，２ｂ  紙片
３  綴じ部材
４  吊り下げ部
５  表示部
６  前面側
７  背面側
８  干渉部分
９  残り部分
１０  切れ目
１１  ミシン目
１３  連結部分
１４  ミシン目
【図１】
0003111129.tif 000003
【図２】
0003111129.tif 000004
【図３】
0003111129.tif 000005
【図４】
0003111129.tif 000006
【図５】
0003111129.tif 000007
【図６】
0003111129.tif 000008
【図７】
0003111129.tif 000009